(57)【要約】【課題】環境対策包装容器を提供する。【解決手段】包装容器１には熱可塑性高分子部材からなる内容器１１と外容器１２が設けられ、内容器１１の可塑性が外容器１２より優れる。外容器１２は基部１２１を備え、基部１２１に対向する両側は上方に伸ばす平坦部１２２が設置され、各平坦部１２２は上方に伸ばしてシール部１２４が設けられ、各平坦部１２２の両側に二つの平坦部１２２，１２２に接続される接続部１２５が設けられているが、基部１２１またはシール部１２４のいずれとも接続されていない。これにより、利用者の利便性を提供できるほか、製造者の回収及び再利用に備えることで、最小限度の資源で包装部材の最大効果をもって、炭酸ガス放出の減少を確実にして、地球及び自然資源の保護が図られる。【選択図】  図１
0003145875.tif 000002
【実用新案登録請求の範囲】
【請求項１】
内容器と外容器を備える環境対策包装容器であって、
前記内容器の内部には物質を収納するための第１収容空間が設けられ、前記第１収容空間の上方に開口部が設けられており、
前記外容器には基部が設けられ、前記基部が対向する両側に上方に延ばす平坦部が設置され、前記両平坦部の間に前記内容器を収容する第２収容空間が形成されていて、かつ、各平坦部の上方に延ばしてシール部が設けられており、しかも前記内容器の可塑性は前記外容器より優れることを特徴とする、環境対策包装容器。
【請求項２】
前記内容器の開口部の外面は前記シール部の内面に固着させ、前記開口部の裏面は相互に固着されていて、前記第１収容空間が形成されることを特徴とする、請求項１記載の環境対策包装容器。
【請求項３】
前記各平坦部の両側において、少なくとも片側には平坦部に接続する接続部が設けられていることを特徴とする、請求項１記載の環境対策包装容器。
【請求項４】
前記各平坦部の両側において、平坦部に接続部する接続部が設けられ、かつ、前記該接続部は前記基部または前記シール部のいずれも接続されておらず、前記接続部と前記基部との間に隙間が残されていることを特徴とする、請求項１記載の環境対策包装容器。
【請求項５】
前記外容器の基部には、さらに平坦状態で圧縮させるための折り畳み線が設けられていることを特徴とする、請求項１記載の環境対策包装容器。
【請求項６】
前記各平坦部の両側において、平坦部に接続される接続部が設けられ、かつ、前記接続部の上方には平坦状態で圧縮させるための折り畳み線が設けられていることを特徴とする、請求項１記載の環境対策包装容器。
【請求項７】
前記各平坦部の両側において、平坦部に接続する接続部が設けられ、かつ、前記接続部の基部に近い側面に欠け部が設けられていることを特徴とすることを特徴とする、請求項１記載の環境対策包装容器。
【請求項８】
前記外容器の上方に設けられるシール部の表面には、さらにストローを挿入する通過孔が設けられ、前記通過孔の周辺は前記内容器の外面に固着されていることを特徴とする、請求項１記載の環境対策包装容器。
【考案の詳細な説明】
【技術分野】
【０００１】
本考案は包装容器に係り、特に包装部材に応用される環境対策包装容器に関する。
【背景技術】
【０００２】
地球の温暖化現象が悪化する中、炭酸ガス放出軽減の重要性が浮き彫りされている。資源再生、炭酸ガス放出の軽減、回収ならびに社会責務を重要視するなど、社会に環境対策への重視が呼びかけられている。しかしながら、良く使われるテトラパック、アルミパックなどの飲料包装は環境に悪影響を与えている。その原因として、アルミパックは紙の他に一層のアルミ箔と２層の紙と４層のプラスチック部材からなるもので、この７層の部材には高分子化合物からなる接着剤が使用されている。さらに、アルミパックの複合部材は長期間埋めてもなかなか解体しない。そして、焼却処理もかなりの工夫が要求される。このように、アルミ箔と紙部材の回収資源が浪費されている現状にある。
【０００３】
さらに、アルミパックはケース状に形成し易いため、隅四カ所は折り込み方式により折り畳まれている。利用者が使用した後、隅場所の折り畳み部分をいったん開かないと圧縮できないため、利用者に不便感を与えてしまう。
【０００４】
また、アルミパックを回収するときは、パルプタンクで強い水流の原理により、繊維、ＰＥ、アルミ箔をそれぞれ分離させる。分離された紙繊維は再生紙の原料に使い、残りのＰＥとアルミ箔は紙工場に燃やせて、併給発電に提供させるか又はプラスチック再生工場にて、熱射出成型によりペン、物差し、植木鉢あるいはプラスチックチップに再生される。
【考案の開示】
【考案が解決しようとする課題】
【０００５】
しかしながら、アルミパックの回収工程が複雑で、原価回収が難しい。一方、統計によると、台湾で投棄されたアルミパックは毎年に３０億個という驚き数字である。よって、いままでの机上討論にとどまらず、回収使用が簡単で最小限度の資源で包装部材の最大効果をもって、炭酸ガス放出の減少を確実にして、地球及び自然資源の保護が図られる飲料包装部材を開発することが関連業界の目指す開発方向である。
【０００６】
熱可塑性高分子部材により包装容器の内容器と外容器が製造され、製造者の回収及び再利用に提供することにより、最小限度の資源で包装部材の最大効果をもって、炭酸ガス放出の減少を確実にして、地球及び自然資源の保護を図ることを本考案の主な目的とする。
【０００７】
包装容器の外容器に設けられた欠け部と折り畳み線により、包装容器を簡単に平坦状態に圧縮させ、利用者の使用に便利を提供することを本考案の次の目的とする。
【課題を解決するための手段】
【０００８】
前記した目的を達成するため、本考案の包装容器は環境対策効果の熱可塑性高分子部材からなる内容器と外容器が設けられ、内容器の可塑性が外容器より優れる。該内容器を該外容器に収容及び固着させ、該外容器に基部を備え、基部対向の両側には上方に伸ばす平坦部が設置され、各平坦部には上方に伸ばしてシール部が設けられ、各平坦部の両側に二つの平坦部に接続される接続部が設けられ、該接続部は基部またはシール部のいずれも接続されていない。
【考案を実施するための最良の形態】
【０００９】
図１と図２を参照する。図示の通り、本考案の包装容器１には内容器１１と外容器１２が設けられている。
【００１０】
該内容器１１の内部には物質を収容するための第１収容空間１１１が設けられ、該内容器１１の可塑性は該外容器１２より優れる。かつ、該第１収容空間１１１上部には開口部１１２が設けられている。
【００１１】
該外容器１２には基部１２１が設けられ、基部１２１対向の両側は上方に延ばす平坦部１２２が設けられ、両平坦部１２２の間に内容器１１を収容する第２収容空間１２３が設けられている。各平坦部１２２には上方に延ばしてシール部１２４が設けられ、平坦部１２２の両側には少なくとも片側は平坦部１２２に接続する接続部１２５が設けられ、該接続部１２５は基部１２１とシール部１２４のいずれも接続しておらず、基部１２１と接続部１２５の上方に折り畳み線１２６が設けられている。
【００１２】
引き続きに、図１と図３を参照する。図示の通り、本考案の包装容器１に設けられた内容器１１と外容器１２に物質を収容するときは、該内容器１１を該外容器１２に設けられた収容空間１２３に収容させ、該内容器１１上部に備える開口部１１２の外面を該外容器上方のシール部１２４の内面に固着した上、物質を該内容器１１の収容空間１１１に注入させ、開口部處１１２の内面を互いに固着させ、第１収容空間１１１を密閉状態に形成して、本考案の包装を完了する。
【００１３】
図４に示す通り、利用者が本考案を使用するときは、該外容器１２のシール部１２４を両側に引き出すことにより、内容器の開口部１１２の固着部分を分離させて開口部にして、利用者の利用に提供できる。
【００１４】
図５を参照する。図示の通り、本考案の包装容器１は該外容器１２上方に設けられたシール部１２４に通過孔１２７を設け、該通過孔１２７の周辺を該内容器１１の表面に固着させる。利用者はストロー２を用いて該外容器１２上方表面に設置された通過孔１２７経由に該内容器１１表面を貫通させ、ストロー２を該内容器１１の収容空間１１１に挿入させる。
【００１５】
図６ないし図８を参照する。図示の通り、利用者は本考案の包装容器１を使用後に、外容器１２の平坦部１２２を中央部に押し込むと、外容器１２は折り畳み線１２６により扁平状に押しつぶされる。該内容器１１は可塑性が良いため、自然変形し易く、利用者の収集に便利を提供する。
【００１６】
さらに、該外容器１２の接続部１２５が基部１２の片側近い場所に欠け部１２８が設けられ、平坦部１２２を中央部に押し込まれると、基部１２１は上方に折り曲げられて収縮される（図７を参照）。
【００１７】
なお、包装容器１の内容器１１の収容物が少ない場合は、該接続部１２５の設置を省ければ、コスト軽減できる（図８を参照）。
【００１８】
図９Ａと図９Ｂを参照する。図示の通り、本考案の固着方法には、接着剤３（図９Ａ）又は熱溶融（図９Ｂ）方式が用いられる。
【００１９】
本考案の包装容器１に設けられる内容器１１と外容器１２は環境対策効果の熱可塑性高分子部材が使用される。内容器１１と外容器１２は吹き込み成形プロセスが使用され、該物質は固体又は流体が収容される。
【図面の簡単な説明】
【００２０】
【図１】本考案の好適な実施例の立体分解図
【図２】本考案の好適な実施例の立体外観図
【図３】本考案の好適な実施例が密封されたときの立体外観図
【図４】本考案の好適な実施例使用態様の外観図
【図５】本考案の別の好適な実施例使用態様の外観図
【図６】本考案の好適な実施例が平坦状態の立体外観図
【図７】本考案の別の好適な実施例平坦状態の外観図
【図８】本考案の別の好適な実施例平坦状態の概略図
【図９Ａ】本考案の固着方法の局部断面図
【図９Ｂ】本考案の固着方法の局部断面図
【符号の説明】
【００２１】
１      包装容器
１１    内容器
１１１  第１収容空間
１１２  開口部
１２    外容器
１２１  基部
１２２  平坦部
１２３  第２収容空間
１２４  シール部
１２５  接続部
１２６  折り畳み線
１２７  通過孔
１２８  欠け部
２      ストロー
３      接着剤
【図１】
0003145875.tif 000003
【図２】
0003145875.tif 000004
【図３】
0003145875.tif 000005
【図４】
0003145875.tif 000006
【図５】
0003145875.tif 000007
【図６】
0003145875.tif 000008
【図７】
0003145875.tif 000009
【図８】
0003145875.tif 000010
【図９Ａ】
0003145875.tif 000011
【図９Ｂ】
0003145875.tif 000012